(57)【特許請求の範囲】
【請求項１】
無線通信ネットワークのネットワークノードにおいて使用するための監視オケージョンを設定する方法であって、前記方法は、
無線デバイスのための物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）探索空間監視設定を決定することであって、前記ＰＤＣＣＨ探索空間監視設定が、複数のスロット上の複数の探索空間の各探索空間についての、監視周期性とブラインド復号の数とを含む、ＰＤＣＣＨ探索空間監視設定を決定することと、ここで、各探索空間について、前記監視周期性は、前記無線デバイスが信号のために前記探索空間を監視するであろうスロットのパターンを指し、前記ブラインド復号の数は、特定のスロットで前記探索空間について利用可能なブラインド復号の数を指し、少なくとも２つの探索空間の前記監視周期性は、前記無線デバイスが少なくとも１つのスロットで少なくとも２つの探索空間を監視するように構成されるように、前記少なくとも１つのスロットで重複する、
前記無線デバイスに前記ＰＤＣＣＨ探索空間監視設定を送ることと
を含む、方法。
【請求項２】
前記複数のスロットの各スロット中で実施されるべきブラインド復号の総数が、すべてのスロットについて同等である、請求項１に記載の方法。
【請求項３】
各探索空間についてのブラインド復号の前記数が、すべてのスロットについて同等である、請求項１または２に記載の方法。
【請求項４】
各探索空間についてのブラインド復号の前記数が、スロットの間で変動する、請求項１または２に記載の方法。
【請求項５】
スロット中の各探索空間についてのブラインド復号の前記数が、前記スロット中のすべての探索空間について同等である、請求項１から４のいずれか一項に記載の方法。
【請求項６】
無線通信ネットワークにおける監視オケージョンを設定することが可能なネットワークノードであって、前記ネットワークノードは、
メモリに結合された処理回路要素を備え、当該メモリは、当該処理回路要素によって実行されたときに、
無線デバイスのための物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）探索空間監視設定を決定することであって、前記ＰＤＣＣＨ探索空間監視設定が、複数のスロット上の複数の探索空間の各探索空間についての、監視周期性とブラインド復号の数とを含む、ＰＤＣＣＨ探索空間監視設定を決定することと、ここで、各探索空間について、前記監視周期性は、前記無線デバイスが信号のために前記探索空間を監視するであろうスロットのパターンを指し、前記ブラインド復号の数は、特定のスロットで前記探索空間について利用可能なブラインド復号の数を指し、少なくとも２つの探索空間の前記監視周期性は、前記無線デバイスが少なくとも１つのスロットで少なくとも２つの探索空間を監視するように構成されるように、前記少なくとも１つのスロットで重複する、
前記無線デバイスに前記ＰＤＣＣＨ探索空間監視設定を送ることと
を行うように動作可能な命令を含む、ネットワークノード。
【請求項７】
前記複数のスロットの各スロット中で実施されるべきブラインド復号の総数が、すべてのスロットについて同等である、請求項６に記載のネットワークノード。
【請求項８】
各探索空間についてのブラインド復号の前記数が、すべてのスロットについて同等である、請求項６または７に記載のネットワークノード。
【請求項９】
各探索空間についてのブラインド復号の前記数が、スロットの間で変動する、請求項６または７に記載のネットワークノード。
【請求項１０】
スロット中の各探索空間についてのブラインド復号の前記数が、前記スロット中の探索空間の間で変動する、請求項６から９のいずれか一項に記載のネットワークノード。
【請求項１１】
無線デバイスにおいて使用するための、信号を監視する方法であって、前記方法は、
ネットワークノードから物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）探索空間監視設定を受信することであって、前記ＰＤＣＣＨ探索空間監視設定が、複数のスロット上の複数の探索空間の各探索空間についての、監視周期性とブラインド復号の数とを含む、ＰＤＣＣＨ探索空間監視設定を受信することと、ここで、各探索空間について、前記監視周期性は、前記無線デバイスが信号のために前記探索空間を監視するであろうスロットのパターンを指し、前記ブラインド復号の数は、特定のスロットで前記探索空間について利用可能なブラインド復号の数を指し、少なくとも２つの探索空間の前記監視周期性は、前記無線デバイスが少なくとも１つのスロットで少なくとも２つの探索空間を監視するように構成されるように、前記少なくとも１つのスロットで重複する、
前記監視周期性とブラインド復号の前記数とに従って各探索空間を監視することと
を含む、方法。
【請求項１２】
前記複数のスロットの各スロット中で実施されるべきブラインド復号の総数が、すべてのスロットについて同等である、請求項１１に記載の方法。
【請求項１３】
各探索空間についてのブラインド復号の前記数が、すべてのスロットについて同等である、請求項１１または１２に記載の方法。
【請求項１４】
各探索空間についてのブラインド復号の前記数が、スロットの間で変動する、請求項１１または１２に記載の方法。
【請求項１５】
スロット中の各探索空間についてのブラインド復号の前記数が、前記スロット中のすべての探索空間について同等である、請求項１１から１４のいずれか一項に記載の方法。
【請求項１６】
スロット中の各探索空間についてのブラインド復号の前記数が、前記スロット中の探索空間の間で変動する、請求項１１から１４のいずれか一項に記載の方法。
【請求項１７】
前記複数のスロットのうちのスロット中で実施されるべきブラインド復号の前記総数は、前記無線デバイスが前記スロット中で実施することが可能であるブラインド復号の総数を超え、
前記方法は、各スロット中のブラインド復号の前記総数が、前記無線デバイスが前記スロット中で実施することが可能であるブラインド復号の前記総数以下になるように、１つまたは複数の探索空間中で実施されるべきブラインド復号の数を制限することをさらに含む、
請求項１２、および請求項１２に従属する請求項１３から１６のいずれか一項に記載の方法。
【請求項１８】
ブラインド復号の前記数を制限することが、第１の探索空間を第２の探索空間よりも優先させるためのあらかじめ設定されたルールに基づく、請求項１７に記載の方法。
【請求項１９】
前記ＰＤＣＣＨ探索空間監視設定は、探索空間が、設定された数よりも少ないブラインド復号を使用して監視され得るかどうかの指示をさらに含む、請求項１７に記載の方法。
【請求項２０】
前記探索空間が、前記設定された数よりも少ないブラインド復号を使用して監視され得るかどうかの前記指示は、探索空間が共通探索空間であるのかまたはユーザ機器固有探索空間であるのかの指示を含む、請求項１９に記載の方法。
【請求項２１】
無線通信ネットワークにおける信号を監視することが可能な無線デバイスであって、前記無線デバイスは、
メモリに結合された処理回路要素を備え、当該メモリは、当該処理回路要素によって実行されたときに、
ネットワークノードから物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）探索空間監視設定を受信することであって、前記ＰＤＣＣＨ探索空間監視設定が、複数のスロット上の複数の探索空間の各探索空間についての、監視周期性とブラインド復号の数とを含む、ＰＤＣＣＨ探索空間監視設定を受信することと、ここで、各探索空間について、前記監視周期性は、前記無線デバイスが信号のために前記探索空間を監視するであろうスロットのパターンを指し、前記ブラインド復号の数は、特定のスロットで前記探索空間について利用可能なブラインド復号の数を指し、少なくとも２つの探索空間の前記監視周期性は、前記無線デバイスが少なくとも１つのスロットで少なくとも２つの探索空間を監視するように構成されるように、前記少なくとも１つのスロットで重複する、
前記監視周期性とブラインド復号の前記数とに従って各探索空間を監視することと
を行うように動作可能な命令を備える、無線デバイス。
【請求項２２】
前記複数のスロットの各スロット中で実施されるべきブラインド復号の総数が、すべてのスロットについて同等である、請求項２１に記載の無線デバイス。
【請求項２３】
各探索空間についてのブラインド復号の前記数が、すべてのスロットについて同等である、請求項２１または２２に記載の無線デバイス。
【請求項２４】
各探索空間についてのブラインド復号の前記数が、スロットの間で変動する、請求項２１または２２に記載の無線デバイス。
【請求項２５】
スロット中の各探索空間についてのブラインド復号の前記数が、前記スロット中のすべての探索空間について同等である、請求項２１から２４のいずれか一項に記載の無線デバイス。
【請求項２６】
スロット中の各探索空間についてのブラインド復号の前記数が、前記スロット中の探索空間の間で変動する、請求項２１から２４のいずれか一項に記載の無線デバイス。
【請求項２７】
前記複数のスロットのうちのスロット中で実施されるべきブラインド復号の前記総数は、前記無線デバイスが前記スロット中で実施することが可能であるブラインド復号の総数を超え、
前記処理回路要素は、各スロット中のブラインド復号の前記総数が、前記無線デバイスが前記スロット中で実施することが可能であるブラインド復号の前記総数以下になるように、１つまたは複数の探索空間中で実施されるべきブラインド復号の数を制限するようにさらに動作可能である、請求項２２、および請求項２２に従属する請求項２３から２６のいずれか一項に記載の無線デバイス。
【請求項２８】
前記処理回路要素が、第１の探索空間を第２の探索空間よりも優先させるためのあらかじめ設定されたルールに基づいてブラインド復号の前記数を制限するように動作可能である、請求項２７に記載の無線デバイス。
【請求項２９】
前記ＰＤＣＣＨ探索空間監視設定は、探索空間が、設定された数よりも少ないブラインド復号を使用して監視され得るかどうかの指示をさらに含む、請求項２８に記載の無線デバイス。
【請求項３０】
前記探索空間が、前記設定された数よりも少ないブラインド復号を使用して監視され得るかどうかの前記指示は、探索空間が共通探索空間であるのかまたはユーザ機器固有探索空間であるのかの指示を含む、請求項２９に記載の無線デバイス。
【発明の詳細な説明】
【技術分野】
【０００１】
特定の実施形態は、無線通信を対象とし、より詳細には、物理ダウンリンク制御チャネル（ＰＤＣＣＨ）を監視するための周期性を対象とする。
【背景技術】
【０００２】
序論
第３世代パートナーシッププロジェクト（３ＧＰＰ）における新しい無線（ＮＲ）規格は、拡張モバイルブロードバンド（ｅＭＢＢ）、超高信頼低レイテンシ通信（ＵＲＬＬＣ）、およびマシン型通信（ＭＴＣ）など、複数の使用事例のためのサービスを含む。これらのサービスの各々は、異なる技術要件を有する。たとえば、ｅＭＢＢのための一般的要件は、適度のレイテンシと適度のカバレッジとをもつ高いデータレートであり、ＵＲＬＬＣサービスは、低レイテンシと高信頼送信とを必要とするが、おそらく適度のデータレートのためのものである。
【０００３】
低レイテンシデータ送信のための１つのソリューションは、より短い送信時間間隔である。ＮＲでは、スロット中での送信に加えて、ミニスロット送信が、レイテンシを低減するために使用される。ミニスロットは、１から１４までの任意の数の直交周波数分割多重（ＯＦＤＭ）シンボルからなり得る。スロットおよびミニスロットの概念は、特定のサービスに固有ではなく、これは、ミニスロットが、ｅＭＢＢ、ＵＲＬＬＣ、または他のサービスのいずれかのために使用され得ることを意味する。
【０００４】
図１は、新しい無線（ＮＲ）における例示的な無線リソースを示す。水平軸が時間を表し、他方の軸が周波数を表す。各リソースエレメントは、１つのＯＦＤＭシンボル間隔中の１つのＯＦＤＭサブキャリアに対応する。
【０００５】
３ＧＰＰ  ＮＲ規格は、ユーザ機器（ＵＥ）固有制御リソースセット（ＣＯＲＥＳＥＴ：ｃｏｎｔｒｏｌ−ｒｅｓｏｕｒｃｅ  ｓｅｔ）について設定され得る監視周期性を含む。監視周期性は、ＣＯＲＥＳＥＴごとに設定されるか、またはＣＯＲＥＳＥＴ内の物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅ１）候補のセットについて設定され得る。異なる探索空間についての異なる監視周期性が、フレキシビリティを提供する。
【０００６】
しかしながら、問題は、異なる探索空間について異なる監視周期性が設定された場合、ＵＥが、複数のＰＤＣＣＨを伴うあるスロット中でいくつかのブラインド復号を実施するが、他のスロット上では極めて少ないブラインド復号を実施しなければならないことがあることである。
【発明の概要】
【０００７】
本明細書で説明される実施形態は、あらゆるスロット中のブラインド復号の数が、利用可能なブラインド復号機会を効率的に使用するために同じである（またはそれに近くなる）ように、物理ダウンリンク制御チャネル（ＰＤＣＣＨ）監視オケージョンを調整し、分散することを含む。
【０００８】
いくつかの実施形態によれば、無線通信ネットワークのネットワークノードにおいて使用するための監視オケージョンを設定するための、ネットワークノードにおける方法が、無線デバイスのためのＰＤＣＣＨ探索空間監視設定を決定することを含む。ＰＤＣＣＨ探索空間監視設定は、複数のスロット上の複数の探索空間の各探索空間についての、監視周期性とブラインド復号の数とを含む。本方法は、無線デバイスに監視設定を送ることをさらに含む。
【０００９】
いくつかの実施形態によれば、ネットワークノードが、無線通信ネットワークにおける監視オケージョンを設定することが可能である。ネットワークノードは、無線デバイスのためのＰＤＣＣＨ探索空間監視設定を決定するように動作可能な処理回路要素を備える。ＰＤＣＣＨ探索空間監視設定は、複数のスロット上の複数の探索空間の各探索空間についての、監視周期性とブラインド復号の数とを含む。処理回路要素は、無線デバイスに監視設定を送るようにさらに動作可能である。
【００１０】
特定の利点は、ブラインド復号の数が各探索空間について設定可能であることである。したがって、ネットワークノードは、利用可能なブラインド復号機会を最適化することが可能である。
【００１１】
特定の実施形態では、複数のスロットの各スロット中で実施されるべきブラインド復号の総数は、すべてのスロットについて同等である。いくつかの実施形態では、各探索空間についてのブラインド復号の数は、すべてのスロットについて同等である。各探索空間についてのブラインド復号の数は、スロットの間で変動し得る。スロット中の各探索空間についてのブラインド復号の数は、スロット中のすべての探索空間について同等であり得る。スロット中の各探索空間についてのブラインド復号の数は、スロット中の探索空間の間で変動し得る。
【００１２】
特定の実施形態では、複数のスロットのうちのスロット中で実施されるべきブラインド復号の総数は、無線デバイスがスロット中で実施することが可能であるブラインド復号の総数を超える。ＰＤＣＣＨ探索空間監視設定は、探索空間が、設定された数よりも少ないブラインド復号を使用して監視され得るかどうかの指示をさらに含み得る。探索空間が、設定された数よりも少ないブラインド復号を使用して監視され得るかどうかの指示は、探索空間が共通探索空間であるのかまたはユーザ機器固有探索空間であるのかの指示を含み得る。
【００１３】
特定の利点は、ネットワークノードが、スロットまたは探索空間についてのブラインド復号の数をオーバーサブスクライブし得ることである。無線デバイスは、その場合、ブラインド復号の数を制限すべきなのがどのスロットおよび探索空間なのかを決定することによって、ブラインド復号の最適な使用を決定する。
【００１４】
いくつかの実施形態によれば、無線デバイスにおいて使用するための、信号を監視する方法が、ネットワークノードからＰＤＣＣＨ探索空間監視設定を受信することを含む。監視設定は、複数のスロット上の複数の探索空間の各探索空間についての、監視周期性とブラインド復号の数とを含む。本方法は、監視設定（すなわち、監視周期性、およびブラインド復号の数）に従って各探索空間を監視することをさらに含む。
【００１５】
特定の実施形態では、複数のスロットの各スロット中で実施されるべきブラインド復号の総数は、すべてのスロットについて同等である。いくつかの実施形態では、各探索空間についてのブラインド復号の数は、すべてのスロットについて同等である。各探索空間についてのブラインド復号の数は、スロットの間で変動し得る。スロット中の各探索空間についてのブラインド復号の数は、スロット中のすべての探索空間について同等であり得る。スロット中の各探索空間についてのブラインド復号の数は、スロット中の探索空間の間で変動し得る。
【００１６】
特定の実施形態では、複数のスロットのうちのスロット中で実施されるべきブラインド復号の総数は、無線デバイスがスロット中で実施することが可能であるブラインド復号の総数を超える。本方法は、各スロット中のブラインド復号の総数が、無線デバイスがスロット中で実施することが可能であるブラインド復号の総数以下になるように、１つまたは複数の探索空間中で実施されるべきブラインド復号の数を制限することをさらに含む。ブラインド復号の数を制限することは、第１の探索空間を第２の探索空間よりも優先させるためのあらかじめ設定されたルールに基づき得る。いくつかの実施形態では、ＰＤＣＣＨ探索空間監視設定は、探索空間が、設定された数よりも少ないブラインド復号を使用して監視され得るかどうかの指示をさらに含む。探索空間が、設定された数よりも少ないブラインド復号を使用して監視され得るかどうかの指示は、探索空間が共通探索空間であるのかまたはユーザ機器固有探索空間であるのかの指示を含み得る。
【００１７】
いくつかの実施形態によれば、無線デバイスが、無線通信ネットワークにおける信号を監視することが可能である。無線デバイスは、ネットワークノードからＰＤＣＣＨ探索空間監視設定を受信するように動作可能な処理回路要素を備える。監視設定は、複数のスロット上の複数の探索空間の各探索空間についての、監視周期性とブラインド復号の数とを含む。処理回路要素は、監視設定（すなわち、監視周期性、およびブラインド復号の数）に従って各探索空間を監視するようにさらに動作可能である。
【００１８】
特定の実施形態では、複数のスロットの各スロット中で実施されるべきブラインド復号の総数は、すべてのスロットについて同等である。いくつかの実施形態では、各探索空間についてのブラインド復号の数は、すべてのスロットについて同等である。各探索空間についてのブラインド復号の数は、スロットの間で変動し得る。スロット中の各探索空間についてのブラインド復号の数は、スロット中のすべての探索空間について同等であり得る。スロット中の各探索空間についてのブラインド復号の数は、スロット中の探索空間の間で変動し得る。
【００１９】
特定の実施形態では、複数のスロットのうちのスロット中で実施されるべきブラインド復号の総数は、無線デバイスがスロット中で実施することが可能であるブラインド復号の総数を超える。処理回路要素は、各スロット中のブラインド復号の総数が、無線デバイスがスロット中で実施することが可能であるブラインド復号の総数以下になるように、１つまたは複数の探索空間中で実施されるべきブラインド復号の数を制限するようにさらに動作可能である。いくつかの実施形態では、処理回路要素は、第１の探索空間を第２の探索空間よりも優先させるためのあらかじめ設定されたルールに基づいてブラインド復号の数を制限するように動作可能である。ＰＤＣＣＨ探索空間監視設定は、探索空間が、設定された数よりも少ないブラインド復号を使用して監視され得るかどうかの指示をさらに含み得る。探索空間が、設定された数よりも少ないブラインド復号を使用して監視され得るかどうかの指示は、探索空間が共通探索空間であるのかまたはユーザ機器固有探索空間であるのかの指示を含み得る。
【００２０】
いくつかの実施形態によれば、ネットワークノードが、無線通信ネットワークにおける監視オケージョンを設定することが可能である。ネットワークノードは、決定モジュールと送信モジュールとを備える。決定モジュールは、無線デバイスのためのＰＤＣＣＨ探索空間監視設定を決定するように動作可能である。ＰＤＣＣＨ探索空間監視設定は、複数のスロット上の複数の探索空間の各探索空間についての、監視周期性とブラインド復号の数とを含む。送信モジュールは、無線デバイスに監視設定を送るように動作可能である。
【００２１】
いくつかの実施形態によれば、無線デバイスが、無線通信ネットワークにおける信号を監視することが可能である。無線デバイスは、受信モジュールと決定モジュールとを備える。受信モジュールは、ネットワークノードからＰＤＣＣＨ探索空間監視設定を受信するように動作可能である。監視設定は、複数のスロット上の複数の探索空間の各探索空間についての、監視周期性とブラインド復号の数とを含む。決定モジュールは、監視設定（すなわち、監視周期性、およびブラインド復号の数）に従って各探索空間を監視するように動作可能である。
【００２２】
コンピュータプログラム製品も開示される。コンピュータプログラム製品は、プロセッサによって実行されたとき、無線デバイスのためのＰＤＣＣＨ探索空間監視設定を決定するステップを実施する、非一時的コンピュータ可読媒体に記憶された命令を備える。ＰＤＣＣＨ探索空間監視設定は、複数のスロット上の複数の探索空間の各探索空間についての、監視周期性とブラインド復号の数とを含む。命令は、無線デバイスに監視設定を送るステップをさらに実施する。
【００２３】
別のコンピュータプログラム製品は、プロセッサによって実行されたとき、ネットワークノードからＰＤＣＣＨ探索空間監視設定を受信するステップを実施する、非一時的コンピュータ可読媒体に記憶された命令を備える。監視設定は、複数のスロット上の複数の探索空間の各探索空間についての、監視周期性とブラインド復号の数とを含む。命令は、監視設定（すなわち、監視周期性、およびブラインド復号の数）に従って各探索空間を監視するステップをさらに実施する。
【００２４】
特定の実施形態は、以下の利点のうちのいくつかまたはすべてを含むか、またはいずれも含まないことがある。たとえば、特定の実施形態は、複数の監視オケージョンにわたってブラインド復号の数を分散し、これは、ユーザ機器（ＵＥ）が一度にある数のブラインド復号のみを実施することが可能であるので、有利であり得る。
【００２５】
実施形態ならびにそれらの特徴および利点のより完全な理解のために、次に、添付の図面とともに、以下の説明が参照される。
【図面の簡単な説明】
【００２６】
【図１】新しい無線（ＮＲ）における例示的な無線リソースを示す図である。
【図２】特定の実施形態による、例示的な無線ネットワークを示すブロック図である。
【図３】いくつかの実施形態による、異なる探索空間と異なる周期性とをもつ２つのＣＯＲＥＳＥＴを示すブロック図である。
【図４】特定の実施形態による、異なる探索空間と異なる周期性とをもつ２つのＣＯＲＥＳＥＴと、各ＣＯＲＥＳＥＴに関連付けられた監視オケージョンとを示すブロック図である。
【図５】特定の実施形態による、異なる探索空間と異なる周期性とをもつ２つのＣＯＲＥＳＥＴと、各ＣＯＲＥＳＥＴに関連付けられた監視オケージョンとを示すブロック図である。
【図６】特定の実施形態による、異なる探索空間と異なる周期性とをもつ２つのＣＯＲＥＳＥＴと、各ＣＯＲＥＳＥＴに関連付けられた監視オケージョンとを示すブロック図である。
【図７】特定の実施形態による、異なる探索空間と異なる周期性とをもつ２つのＣＯＲＥＳＥＴと、各ＣＯＲＥＳＥＴに関連付けられた監視オケージョンとを示すブロック図である。
【図８】特定の実施形態による、ネットワークノードにおける例示的な方法を示す流れ図である。
【図９】特定の実施形態による、無線デバイスにおける例示的な方法を示す流れ図である。
【図１０Ａ】無線デバイスの例示的な実施形態を示すブロック図である。
【図１０Ｂ】無線デバイスの例示的な構成要素を示すブロック図である。
【図１１Ａ】ネットワークノードの例示的な実施形態を示すブロック図である。
【図１１Ｂ】ネットワークノードの例示的な構成要素を示すブロック図である。
【発明を実施するための形態】
【００２７】
第３世代パートナーシッププロジェクト（３ＧＰＰ）新しい無線（ＮＲ）は、拡張モバイルブロードバンド（ｅＭＢＢ）、超高信頼低レイテンシ通信（ＵＲＬＬＣ）、およびマシン型通信（ＭＴＣ）などのサービスを含む。これらのサービスの各々は、データレート、レイテンシ、およびカバレッジレベルに関して異なる技術要件を有する。これらの特徴をサポートするために、ＮＲは、スロット中での、ならびにレイテンシを低減するためのミニスロット中での送信を含む。
【００２８】
３ＧＰＰ  ＮＲ規格は、ユーザ機器（ＵＥ）固有制御リソースセット（ＣＯＲＥＳＥＴ）について設定され得る監視周期性を含む。監視周期性は、ＣＯＲＥＳＥＴごとに設定されるか、またはＣＯＲＥＳＥＴ内の物理ダウンリンク制御チャネル（ＰＤＣＣＨ）候補のセットについて設定され得る。異なる探索空間についての異なる監視周期性が、フレキシビリティを提供する。
【００２９】
しかしながら、問題は、異なる探索空間について異なる監視周期性が設定された場合、ＵＥが、複数のＰＤＣＣＨを伴うあるスロット中でいくつかのブラインド復号を実施するが、他のスロット上では極めて少ないブラインド復号を実施しなければならないことがあることである。特定の実施形態は、上記で説明された問題をなくし、あらゆるスロット中のブラインド復号の数が同じ（またはほぼ同じ）であるように、ＰＤＣＣＨ監視オケージョンを調整し、分散することを含み、これは、ＵＥが一度にある数のブラインド復号のみを実施することが可能であるので、有利であり得る。
【００３０】
「一実施形態（ｏｎｅ  ｅｍｂｏｄｉｍｅｎｔ）」、「一実施形態（ａｎ  ｅｍｂｏｄｉｍｅｎｔ）」、「例示的な実施形態」などへの本明細書における言及は、説明される実施形態が、特定の特徴、構造、または特性を含み得ることを指示するが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００３１】
特定の実施形態が、図面の図２〜図１１Ｂを参照しながら説明され、同様の数字が、様々な図面の同様の部分および対応する部分のために使用されている。例示的なセルラーシステムとして本開示全体にわたってｌｏｎｇ  ｔｅｒｍ  ｅｖｏｌｕｔｉｏｎ（ＬＴＥ）および第５世代（５Ｇ）ＮＲが使用されるが、本明細書で提示される発想は、同様に他の無線通信システムに適用され得る。
【００３２】
図２は、特定の実施形態による、例示的な無線ネットワークを示すブロック図である。無線ネットワーク１００は、（モバイルフォン、スマートフォン、ラップトップコンピュータ、タブレットコンピュータ、ＭＴＣデバイス、または無線通信を提供することができる任意の他のデバイスなどの）１つまたは複数の無線デバイス１１０と、（基地局、ｅノードＢ、ｇＮＢなどの）複数のネットワークノード１２０とを含む。無線デバイス１１０はＵＥと呼ばれることもある。ネットワークノード１２０は、（セル１１５とも呼ばれる）カバレッジエリア１１５をサーブする。
【００３３】
概して、ネットワークノード１２０のカバレッジ内（たとえば、ネットワークノード１２０によってサーブされるセル１１５内）にある無線デバイス１１０は、無線信号１３０を送信および受信することによって、ネットワークノード１２０と通信する。たとえば、無線デバイス１１０およびネットワークノード１２０は、音声トラフィック、データトラフィック、および／または制御信号を含んでいる無線信号１３０を通信し得る。音声トラフィック、データトラフィック、および／または制御信号を無線デバイス１１０に通信するネットワークノード１２０は、無線デバイス１１０のためのサービングネットワークノード１２０と呼ばれることがある。無線デバイス１１０とネットワークノード１２０との間の通信は、セルラー通信と呼ばれることがある。無線信号１３０は、（ネットワークノード１２０から無線デバイス１１０への）ダウンリンク送信と（無線デバイス１１０からネットワークノード１２０への）アップリンク送信の両方を含み得る。
【００３４】
各ネットワークノード１２０は、信号１３０を無線デバイス１１０に送信するための単一の送信機または複数の送信機を有し得る。いくつかの実施形態では、ネットワークノード１２０は多入力多出力（ＭＩＭＯ）システムを備え得る。無線信号１３０は、１つまたは複数のビームを含み得る。特定のビームが、特定の方向においてビームフォーミングされ得る。各無線デバイス１１０は、ネットワークノード１２０または他の無線デバイス１１０から信号１３０を受信するための単一の受信機または複数の受信機を有し得る。無線デバイス１１０は、無線信号１３０を含む１つまたは複数のビームを受信し得る。
【００３５】
無線信号１３０は、時間周波数リソース上で送信され得る。時間周波数リソースは、無線フレーム、サブフレーム、スロット、および／またはミニスロットに区分され得る。ネットワークノード１２０は、アップリンク、ダウンリンク、またはアップリンクとダウンリンクとの組合せとして、サブフレーム／スロット／ミニスロットを動的にスケジュールし得る。異なる無線信号１３０は、異なる送信処理時間を備え得る。
【００３６】
ネットワークノード１２０は、ＬＴＥスペクトルなど、ライセンス済み周波数スペクトル中で動作し得る。ネットワークノード１２０は、５ＧＨｚ  Ｗｉ−Ｆｉスペクトルなど、未ライセンス周波数スペクトル中でも動作し得る。未ライセンス周波数スペクトルでは、ネットワークノード１２０は、ＩＥＥＥ８０２．１１アクセスポイントおよび端末など、他のデバイスと共存し得る。未ライセンススペクトルを共有するために、ネットワークノード１２０は、無線信号１３０を送信または受信する前に、ＬＢＴプロトコルを実施し得る。無線デバイス１１０も、ライセンス済みスペクトルまたは未ライセンススペクトルの一方または両方中で動作し得、また、いくつかの実施形態では、無線信号１３０を送信する前にＬＢＴプロトコルを実施し得る。ネットワークノード１２０と無線デバイス１１０の両方は、ライセンス済み共有スペクトル中でも動作し得る。
【００３７】
たとえば、ネットワークノード１２０ａがライセンス済みスペクトル中で動作し得、ネットワークノード１２０ｂが未ライセンススペクトル中で動作し得る。無線デバイス１１０は、ライセンス済みスペクトルと未ライセンススペクトルの両方中で動作し得る。特定の実施形態では、ネットワークノード１２０ａおよび１２０ｂは、ライセンス済みスペクトル、未ライセンススペクトル、ライセンス済み共有スペクトル、または任意の組合せ中で動作するように設定可能であり得る。セル１１５ｂのカバレッジエリアがセル１１５ａのカバレッジエリア中に含まれるように示されているが、特定の実施形態では、セル１１５ａのカバレッジエリアとセル１１５ｂのカバレッジエリアとは、部分的に重複し得るか、またはまったく重複しないことがある。
【００３８】
特定の実施形態では、無線デバイス１１０とネットワークノード１２０とは、キャリアアグリゲーションを実施し得る。たとえば、ネットワークノード１２０ａはＰＣｅｌｌとして無線デバイス１１０をサーブし得、ネットワークノード１２０ｂはＳＣｅｌｌとして無線デバイス１１０をサーブし得る。ネットワークノード１２０は、自己スケジューリングまたはクロススケジューリングを実施し得る。ネットワークノード１２０ａがライセンス済みスペクトル中で動作し、ネットワークノード１２０ｂが未ライセンススペクトル中で動作している場合、ネットワークノード１２０ａは、未ライセンススペクトルへのライセンス支援型アクセスを提供し得る（すなわち、ネットワークノード１２０ａはＬＡＡ  ＰＣｅｌｌであり、ネットワークノード１２０ｂはＬＡＡ  ＳＣｅｌｌである）。
【００３９】
特定の実施形態では、無線信号１３０は、上記で説明されたように、制御リソースセット（ＣＯＲＥＳＥＴ）中でグループ化される時間／周波数リソースを備え得る。ネットワークノード１２０は、無線デバイス１１０がＰＤＣＣＨなど、特定のチャネルを監視するための監視周期性を伴って、無線デバイス１１０を設定し得る。ネットワークノード１２０は、各探索空間、ＣＯＲＥＳＥＴ、またはＤＣＩフォーマットに関連付けられたブラインド復号の数を設定し得る。無線デバイス１１０はネットワークノード１２０から監視設定を受信する。無線デバイスは、監視設定（すなわち、監視周期性、およびブラインド復号の数）に従ってブラインド復号を実施し得る。いくつかの実施形態では、無線デバイスは監視設定を修正し得る（たとえば、ネットワークノードが、無線デバイス１１０が可能であるものよりも多くのブラインド復号を設定した、および無線デバイス１１０は、どの探索空間、ＣＯＲＥＳＥＴ、またはＤＣＩフォーマットを制限すべきなのかを決定する。さらなる詳細が、以下で、および図３〜図９に関して説明される。
【００４０】
無線ネットワーク１００では、各ネットワークノード１２０は、ｌｏｎｇ  ｔｅｒｍ  ｅｖｏｌｕｔｉｏｎ（ＬＴＥ）、ＬＴＥアドバンスト、ＵＭＴＳ、ＨＳＰＡ、ＧＳＭ、ｃｄｍａ２０００、ＮＲ、ＷｉＭａｘ、ＷｉＦｉ、および／または他の好適な無線アクセス技術など、任意の好適な無線アクセス技術を使用し得る。無線ネットワーク１００は、１つまたは複数の無線アクセス技術の任意の好適な組合せを含み得る。例として、様々な実施形態は、いくつかの無線アクセス技術のコンテキスト内で説明され得る。しかしながら、本開示の範囲は、それらの例に限定されず、他の実施形態は、異なる無線アクセス技術を使用し得る。
【００４１】
上記で説明されたように、無線ネットワークの実施形態は、１つまたは複数の無線デバイスと、無線デバイスと通信することが可能な１つまたは複数の異なるタイプの無線ネットワークノードとを含み得る。無線ネットワークは、無線デバイス間の通信、または無線デバイスと（固定電話などの）別の通信デバイスとの間の通信をサポートするのに好適な任意の追加のエレメントをも含み得る。無線デバイスは、ハードウェアおよび／またはソフトウェアの任意の好適な組合せを含み得る。たとえば、特定の実施形態では、無線デバイス１１０など、無線デバイスは、以下で図１０Ａに関して説明される構成要素を含み得る。同様に、ネットワークノードは、ハードウェアおよび／またはソフトウェアの任意の好適な組合せを含み得る。たとえば、特定の実施形態では、ネットワークノード１２０など、ネットワークノードは、以下で図１１Ａに関して説明される構成要素を含み得る。
【００４２】
以下の実施形態は、特定の探索空間に割り振られるブラインド復号の一例を使用して説明されるが、それらの実施形態は、ＣＯＲＥＳＥＴへのまたはＤＣＩフォーマットへの同じ原理の適用をも等しくカバーする。
【００４３】
特定の実施形態は、ブラインド復号能力を最大限に使用するようにＰＤＣＣＨ監視オケージョンを設定することを含む。いくつかの実施形態によれば、ＰＤＣＣＨ監視周期性およびＰＤＣＣＨ監視オケージョンは、あらゆるスロット中のブラインド復号の数が同じであるように設定される。一例が図３および図４に示されている。
【００４４】
図３は、いくつかの実施形態による、異なる探索空間と異なる周期性とをもつ２つのＣＯＲＥＳＥＴを示すブロック図である。示されている例では、ＣＯＲＥＳＥＴ０が、スロット０、１、２、３、．．．中で送信され、探索空間ＸおよびＹを有する。ＣＯＲＥＳＥＴ１が、スロット１、３、５、．．．中で送信され、探索空間Ｚを有する。
【００４５】
図４は、特定の実施形態による、異なる探索空間と異なる周期性とをもつ２つのＣＯＲＥＳＥＴと、各監視オケージョンについての同等数のブラインド復号とを示すブロック図である。ブラインド復号の数を同じに保つために、ＵＥは、示されているように、周期性０、１、２、．．．で探索空間Ｘを監視し、周期性０、２、４、．．．で探索空間Ｙを監視し、周期性１、３、５、．．．で探索空間Ｚを監視する。示されている例は、スロット内で実施され得る合計４４個のブラインド復号を含む。他の実施形態は、任意の好適な数のブラインド復号と任意の好適な周期性とを含み得る。
【００４６】
特定の実施形態は、ブラインド復号能力を最大限に利用するようにブラインド復号を設定することを含む。いくつかの実施形態によれば、割り振られるブラインド復号は、異なるスロット中で異なり得、異なる周期性がそれらのブラインド復号に関連付けられ得る。一例が図５に示されている。
【００４７】
図５は、特定の実施形態による、異なる探索空間と異なる周期性とをもち、ブラインド復号の数がスロットの間で変動する、２つのＣＯＲＥＳＥＴを示すブロック図である。探索空間ＸおよびＹについての監視周期性は、それらの探索空間があらゆるスロット中で監視されるようなものである。ただし、探索空間に割り振られるブラインド復号の数は、スロットに応じて変動する。示されている例では、設定は以下の通りである。
【００４８】
探索空間ＸおよびＹ：スロット０、２、４、．．．中で２２個のブラインド復号を実施し、スロット１、３、５、．．．中で１６個のブラインド復号を実施する。また、より大きいデューティサイクルをもついくつかの不規則パターンが設定され得、これは単純な例にすぎない。示されている例では、探索空間Ｚは、あらゆるスロット中での監視を必要とするとは限らないが、その探索空間が監視されるたびに同数のブラインド復号がその探索空間に割り振られる、監視周期性を有する。
【００４９】
異なる探索空間が同じ監視周期性を有し得るが、一方の探索空間はその探索空間のブラインド復号をスロットに応じて変動させ得るが、他方の探索空間はその探索空間のブラインド復号をスロットに応じて変動させないことが可能である。一例が図６に示されている。
【００５０】
図６は、特定の実施形態による、異なる探索空間と異なる周期性とをもち、ブラインド復号の数がスロットの間で変動する、２つのＣＯＲＥＳＥＴを示す別のブロック図である。示されている例は、探索空間Ｚが、他の探索空間のうちの１つからのみブラインド復号を借りていると解釈され得る。
【００５１】
特定の実施形態は、ＣＯＲＥＳＥＴ監視の優先度付けを含む。前の実施形態では、ｇＮＢが、ｇＮＢによって与えられた特定の半静的設定にＵＥが従うように、適宜に監視周期性とブラインド復号とを設定する。
【００５２】
いくつかの実施形態では、ｇＮＢは、所与のスロット中での最大のブラインド復号能力を名目上超えるように、ＵＥに監視周期性とブラインド復号とを設定することができる。ただし、ＵＥは、いくつかのＣＯＲＥＳＥＴまたは探索空間またはＤＣＩフォーマットの監視を他のＣＯＲＥＳＥＴまたは探索空間またはＤＣＩフォーマットの監視よりも優先させることによって、実際に実施されるブラインド復号の数を、ＵＥが可能である数に制限する。一例が図７に示されている。
【００５３】
図７は、特定の実施形態による、異なる探索空間と異なる周期性とをもち、ブラインド復号の数がＵＥの容量を超え得る、２つのＣＯＲＥＳＥＴを示すブロック図である。示されている例では、探索空間Ｘ、ＹおよびＺは、すべて、各々２２個のブラインド復号を伴って設定される。ＵＥは、探索空間の間で何らかの優先度付けを適用することによって、ブラインド復号を、能力内に収まるように自動的に調整する。設定はこれらの優先度付けを含み得る。
【００５４】
特定の実施形態では、探索空間ｊが優先度番号ｐｊを割り振られ得る。ブラインド復号は、次いで、探索空間ｊのためのブラインド復号が
0006872669.tif 000002
によって与えられるように、ＵＥにおいて調整され得、ここで、Ｂｊは、探索空間ｊに割り振られたブラインド復号の数であり、ＢＭはスロット中のブラインド復号の最大数である。
【００５５】
これは、適用され得る一般的な優先度付けルールであるが、より単純なルールも使用され得る。この実施形態の１つの変形形態では、探索空間の設定は、この探索空間からのブラインド復号が別の探索空間のために借りられ得るか否かを明示的に指示し得る。ブラインド復号は、次いで、借りることが可能にされることをその設定が指示する探索空間についてのみ低減される。たとえば、共通探索空間のためのブラインド復号は、固定されるものとして指示され得るが、ＵＥ探索空間のためのブラインド復号は、低減されることが可能であるものとして指示され得る。
【００５６】
同様に、特定の探索空間の設定も、この探索空間が高優先度探索空間であること、およびその探索空間が他のより優先度の低い探索空間からブラインド復号を借りることを可能にされることを指示し得る。
【００５７】
この実施形態の別の変形形態では、探索空間についての設定は、ブラインド復号がそこからＵＥによって借りられ得る他の探索空間へのポインタを明示的に提供し得る。
【００５８】
この実施形態の別の変形形態では、ブラインド復号を借りるか否かの優先度付けまたはアビリティ（ａｂｉｌｉｔｙ）は、スロット中の探索空間およびＣＯＲＥＳＥＴのロケーションに依存し得る。たとえば、ブラインド復号は、スロットの始まり（たとえば、最初の３つのＯＦＤＭシンボル）におけるＵＥ固有探索空間からのみ借りられるが、スロット中の他の場所で発生するＵＥ固有探索空間からは借りられないことがあり、その逆も同様である。
【００５９】
上記で説明された実施形態の一般的な例は、図８および図９に示されている。図８は、ｇＮＢなど、ネットワークノードにおける一例であり、図９は、ＵＥなど、無線デバイスにおける一例である。
【００６０】
図８は、特定の実施形態による、ネットワークノードにおける例示的な方法を示す流れ図である。特定の実施形態では、図８の１つまたは複数のステップは、図３に関して説明されたネットワーク１００のネットワークノード１２０によって実施され得る。
【００６１】
方法は、ステップ８１２において始まり、ネットワークノードが、無線デバイスのための監視設定を決定する。監視設定は、複数のスロット上の複数の探索空間の各探索空間についての、監視周期性とブラインド復号の数とを含む。たとえば、ネットワークノード１２０は、図３〜図７に関して説明された実施形態および例のうちのいずれかに従って、いくつかの探索空間についての監視設定を決定し得る。
【００６２】
特定の実施形態では、複数のスロットの各スロット中で実施されるべきブラインド復号の総数は、すべてのスロットについて同等である（たとえば、図４〜図６参照）。いくつかの実施形態では、各探索空間についてのブラインド復号の数は、すべてのスロットについて同等である（たとえば、図４の探索空間Ｘ参照）。各探索空間についてのブラインド復号の数は、スロットの間で変動し得る（たとえば、図５の探索空間Ｙ参照）。スロット中の各探索空間についてのブラインド復号の数は、スロット中のすべての探索空間について同等であり得る（たとえば、図５のスロット０参照）。スロット中の各探索空間についてのブラインド復号の数は、スロット中の探索空間の間で変動し得る（たとえば、図５のスロット１参照）。特定の実施形態では、複数のスロットのうちのスロット中で実施されるべきブラインド復号の総数は、無線デバイスがスロット中で実施することが可能であるブラインド復号の総数を超える（たとえば、図７のスロット１参照）。
【００６３】
ステップ８１４において、ネットワークノードは無線デバイスに監視設定を送る。たとえば、ネットワークノード１２０は無線デバイス１１０に監視設定を送り得る。
【００６４】
図８の方法８００に対して修正、追加、または省略が行われ得る。さらに、図８の方法における１つまたは複数のステップは、並行してまたは任意の好適な順序で実施され得る。それらのステップは、必要に応じて経時的に繰り返され得る。
【００６５】
図９は、特定の実施形態による、無線デバイスにおける例示的な方法を示す流れ図である。特定の実施形態では、図９の１つまたは複数のステップは、図２に関して説明されたネットワーク１００の無線デバイス１１０によって実施され得る。
【００６６】
本方法はステップ９１２において始まり、無線デバイスが、ネットワークノードから監視設定を受信する。監視設定は、複数のスロット上の複数の探索空間の各探索空間についての、監視周期性とブラインド復号の数とを含む。たとえば、無線デバイス１１０は、図３〜図７に関して説明された実施形態および例のうちのいずれかに従って、いくつかの探索空間についての監視設定を受信し得る。また、特定の設定が、図８のステップ８１２に関して説明される。
【００６７】
ステップ９１４において、無線デバイスは、１つまたは複数の探索空間についてのブラインド復号の数を制限し得る。たとえば、複数のスロットのうちのスロット中で実施されるべきブラインド復号の総数は、無線デバイスがスロット中で実施することが可能であるブラインド復号の総数を超え得る。無線デバイスは、各スロット中のブラインド復号の総数が、無線デバイスがスロット中で実施することが可能であるブラインド復号の総数以下になるように、１つまたは複数の探索空間中で実施されるべきブラインド復号の数を制限し得る。
【００６８】
ブラインド復号の数を制限することは、第１の探索空間を第２の探索空間よりも優先させるためのあらかじめ設定されたルールに基づき得る。いくつかの実施形態では、ＰＤＣＣＨ探索空間監視設定は、探索空間が、設定された数よりも少ないブラインド復号を使用して監視され得るかどうかの指示をさらに含む。探索空間が、設定された数よりも少ないブラインド復号を使用して監視され得るかどうかの指示は、探索空間が共通探索空間であるのかまたはユーザ機器固有探索空間であるのかの指示を含み得る。
【００６９】
ステップ９１６において、無線デバイスは、監視設定（すなわち、監視周期性、およびブラインド復号の数）に従って各探索空間を監視する。たとえば、無線デバイス１１０は、ステップ９１２においてネットワークノード１２０から受信された監視設定に従って、およびステップ９１４からの修正または制限に従って、探索空間を監視し得る。
【００７０】
図９の方法９００に対して修正、追加、または省略が行われ得る。さらに、図９の方法における１つまたは複数のステップは、並行してまたは任意の好適な順序で実施され得る。それらのステップは、必要に応じて経時的に繰り返され得る。
【００７１】
図１０Ａは、無線デバイスの例示的な実施形態を示すブロック図である。無線デバイスは、図２に示されている無線デバイス１１０の一例である。特定の実施形態では、無線デバイスは、ネットワークノードから監視設定を受信することが可能である。監視設定は、複数のスロット上の複数の探索空間の各探索空間についての、監視周期性とブラインド復号の数とを含む。無線デバイスはまた、監視設定（すなわち、監視周期性、およびブラインド復号の数）に従って各探索空間を監視し得る。スロット中で実施されるべきブラインド復号の総数が、無線デバイスがスロット中で実施することが可能であるブラインド復号の総数を超える場合、無線デバイスは、１つまたは複数の探索空間中で実施されるべきブラインド復号の数を制限し得る。
【００７２】
無線デバイスの特定の例は、モバイルフォン、スマートフォン、ＰＤＡ（携帯情報端末）、ポータブルコンピュータ（たとえば、ラップトップ、タブレット）、センサー、モデム、マシン型（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、デバイスツーデバイス対応デバイス、車両間デバイス、または無線通信を提供することができる任意の他のデバイスを含む。無線デバイスは、トランシーバ１３１０と、処理回路要素１３２０と、メモリ１３３０と、電源１３４０とを含む。いくつかの実施形態では、トランシーバ１３１０は、（たとえば、アンテナを介して）無線信号を無線ネットワークノード１２０に送信すること、および無線信号を無線ネットワークノード１２０から受信することを可能にし、処理回路要素１３２０は、無線デバイスによって提供されるものとして本明細書で説明される機能性の一部または全部を提供するための命令を実行し、メモリ１３３０は、処理回路要素１３２０によって実行される命令を記憶する。電源１３４０は、トランシーバ１３１０、処理回路要素１３２０、および／またはメモリ１３３０など、無線デバイス１１０の構成要素のうちの１つまたは複数に電力を供給する。
【００７３】
処理回路要素１３２０は、無線デバイスの説明される機能の一部または全部を実施するために命令を実行し、データを操作するための、１つまたは複数の集積回路またはモジュールにおいて実装されたハードウェアとソフトウェアとの任意の好適な組合せを含む。いくつかの実施形態では、処理回路要素１３２０は、たとえば、１つまたは複数のコンピュータ、１つまたは複数のプログラマブル論理デバイス、１つまたは複数の中央処理ユニット（ＣＰＵ）、１つまたは複数のマイクロプロセッサ、１つまたは複数のアプリケーション、および／または他の論理、ならびに／あるいは前述の任意の好適な組合せを含み得る。処理回路要素１３２０は、無線デバイス１１０の説明される機能の一部または全部を実施するように設定されたアナログおよび／またはデジタル回路要素を含み得る。たとえば、処理回路要素１３２０は、抵抗器、キャパシタ、インダクタ、トランジスタ、ダイオード、および／または任意の他の好適な回路構成要素を含み得る。
【００７４】
メモリ１３３０は、概して、コンピュータ実行可能コードおよびデータを記憶するように動作可能である。メモリ１３３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【００７５】
電源１３４０は、概して、無線デバイス１１０の構成要素に電力を供給するように動作可能である。電源１３４０は、リチウムイオン、リチウム空気、リチウムポリマー、ニッケルカドミウム、ニッケル金属水素化物、または無線デバイスに電力を供給するための任意の他の好適なタイプのバッテリーなど、任意の好適なタイプのバッテリーを含み得る。
【００７６】
無線デバイスの他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を提供することを担当する（図１０Ａに示されている構成要素以外の）追加の構成要素を含み得る。
【００７７】
図１０Ｂは、無線デバイス１１０の例示的な構成要素を示すブロック図である。構成要素は、決定モジュール１３５０と、送信モジュール１３５２と、受信モジュール１３５４とを含み得る。
【００７８】
決定モジュール１３５０は、無線デバイス１１０の決定機能を実施し得る。たとえば、決定モジュール１３５０は、上記で説明された例および実施形態のうちのいずれかに従って、複数のスロットのうちのスロット中で実施されるべきブラインド復号の総数が、無線デバイスがスロット中で実施することが可能であるブラインド復号の総数を超えると決定し、１つまたは複数の探索空間（またはＣＯＲＥＳＥＴ、ＤＣＩフォーマットなど）中で実施されるべきブラインド復号の数を制限し得る。いくつかの実施形態では、決定モジュール１３５０は、処理回路要素１３２０を含むか、または処理回路要素１３２０中に含まれ得る。特定の実施形態では、決定モジュール１３５０は、送信モジュール１３５２および受信モジュール１３５４と通信し得る。
【００７９】
送信モジュール１３５２は、無線デバイス１１０の送信機能を実施し得る。いくつかの実施形態では、送信モジュール１３５２は、処理回路要素１３２０を含むか、または処理回路要素１３２０中に含まれ得る。特定の実施形態では、送信モジュール１３５２は、決定モジュール１３５０および受信モジュール１３５４と通信し得る。
【００８０】
受信モジュール１３５４は、無線デバイス１１０の受信機能を実施し得る。たとえば、受信モジュール１３５４は、上記で説明された例および実施形態のうちのいずれかに従って、監視設定を受信し得る。いくつかの実施形態では、受信モジュール１３５４は、処理回路要素１３２０を含むか、または処理回路要素１３２０中に含まれ得る。特定の実施形態では、送信モジュール１３５２は、決定モジュール１３５０および送信モジュール１３５２と通信し得る。
【００８１】
図１１Ａは、ネットワークノードの例示的な実施形態を示すブロック図である。ネットワークノードは、図２に示されているネットワークノード１２０の一例である。特定の実施形態では、ネットワークノードは、無線デバイスのための監視設定を決定することが可能である。監視設定は、複数のスロット上の複数の探索空間（またはＣＯＲＥＳＥＴ、ＤＣＩフォーマットなど）の各探索空間（またはＣＯＲＥＳＥＴ、ＤＣＩフォーマットなど）についての、監視周期性とブラインド復号の数とを含む。ネットワークノードは、無線デバイスに監視設定を送ることが可能である。
【００８２】
ネットワークノード１２０は、ｅノードＢ、ノードＢ、基地局、無線アクセスポイント（たとえば、Ｗｉ−Ｆｉアクセスポイント）、低電力ノード、基地トランシーバ局（ＢＴＳ）、送信ポイントまたはノード、リモートＲＦユニット（ＲＲＵ）、リモート無線ヘッド（ＲＲＨ）、あるいは他の無線アクセスノードであり得る。ネットワークノードは、少なくとも１つのトランシーバ１４１０と、少なくとも１つの処理回路要素１４２０と、少なくとも１つのメモリ１４３０と、少なくとも１つのネットワークインターフェース１４４０とを含む。トランシーバ１４１０は、（たとえば、アンテナを介して）無線信号を無線デバイス１１０などの無線デバイスに送信すること、および無線信号を無線デバイスから受信することを可能にし、処理回路要素１４２０は、ネットワークノード１２０によって提供されているものとして上記で説明された機能性の一部または全部を提供するための命令を実行し、メモリ１４３０は、処理回路要素１４２０によって実行される命令を記憶し、ネットワークインターフェース１４４０は、ゲートウェイ、スイッチ、ルータ、インターネット、公衆交換電話網（ＰＳＴＮ）、コントローラ、および／または他のネットワークノード１２０など、バックエンドネットワーク構成要素に信号を通信する。処理回路要素１４２０およびメモリ１４３０は、上記の図１０Ａの処理回路要素１３２０およびメモリ１３３０に関して説明されたのと同じタイプのものであり得る。
【００８３】
いくつかの実施形態では、ネットワークインターフェース１４４０は、処理回路要素１４２０に通信可能に結合され、ネットワークノード１２０のための入力を受信するか、ネットワークノード１２０からの出力を送るか、入力または出力あるいはその両方の好適な処理を実施するか、他のデバイスに通信するか、または前述の任意の組合せを行うように動作可能な任意の好適なデバイスを指す。ネットワークインターフェース１４４０は、ネットワークを通して通信するために、適切なハードウェア（たとえば、ポート、モデム、ネットワークインターフェースカードなど）と、プロトコル変換能力およびデータ処理能力を含むソフトウェアとを含む。
【００８４】
図１１Ｂは、ネットワークノード１２０の例示的な構成要素を示すブロック図である。構成要素は、決定モジュール１４５０と、送信モジュール１４５２と、受信モジュール１４５４とを含み得る。
【００８５】
決定モジュール１４５０は、ネットワークノード１２０の決定機能を実施し得る。たとえば、決定モジュール１４５０は、上記で説明された例および実施形態のうちのいずれかに従って、無線デバイスのための監視設定を決定し得る。いくつかの実施形態では、決定モジュール１４５０は、処理回路要素１４２０を含むか、または処理回路要素１４２０中に含まれ得る。特定の実施形態では、決定モジュール１４５０は、送信モジュール１４５２および受信モジュール１４５４と通信し得る。
【００８６】
送信モジュール１４５２は、ネットワークノード１２０の送信機能を実施し得る。たとえば、送信モジュール１４５２は、上記で説明された例および実施形態のうちのいずれかに従って、無線デバイスに監視設定を送信し得る。いくつかの実施形態では、送信モジュール１４５２は、処理回路要素１４２０を含むか、または処理回路要素１４２０中に含まれ得る。特定の実施形態では、送信モジュール１４５２は、決定モジュール１４５０および受信モジュール１４５４と通信し得る。
【００８７】
受信モジュール１４５４は、ネットワークノード１２０の受信機能を実施し得る。いくつかの実施形態では、受信モジュール１４５４は、処理回路要素１４２０を含むか、または処理回路要素１４２０中に含まれ得る。特定の実施形態では、送信モジュール１４５２は、決定モジュール１４５０および送信モジュール１４５２と通信し得る。
【００８８】
本発明の範囲から逸脱することなく、本明細書で開示されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各メンバーまたはセットのサブセットの各メンバーを指す。
【００８９】
本発明の範囲から逸脱することなく、本明細書で開示される方法に対して修正、追加、または省略が行われ得る。本方法は、より多数の、より少数の、または他のステップを含み得る。さらに、ステップは、任意の好適な順序で実施され得る。
【００９０】
本開示はいくつかの実施形態に関して説明されたが、実施形態の改変および置換は当業者に明らかとなろう。したがって、実施形態の上記の説明は、本開示を制約しない。他の変更、置換、および改変が、以下の特許請求の範囲によって規定される、本開示の趣旨および範囲から逸脱することなく可能である。
【００９１】
前述の説明で使用される略語は、以下を含む。
３ＧＰＰ  第３世代パートナーシッププロジェクト
ＢＢＵ  ベースバンドユニット
ＢＴＳ  基地トランシーバ局
ＣＣ  コンポーネントキャリア
ＣＯＲＥＳＥＴ  制御リソースセット
ＣＱＩ  チャネル品質情報
ＣＳＩ  チャネル状態情報
Ｄ２Ｄ  デバイスツーデバイス
ＤＦＴ  離散フーリエ変換
ＤＭＲＳ  復調用参照信号
ｅＭＢＢ  拡張モバイルブロードバンド
ｅＮＢ  ｅノードＢ
ＦＤＤ  周波数分割複信
ＦＦＴ  高速フーリエ変換
ｇＮＢ  次世代ノードＢ
ＬＡＡ  ライセンス支援型アクセス
ＬＢＴ  リッスンビフォアトーク
ＬＴＥ  Ｌｏｎｇ  Ｔｅｒｍ  Ｅｖｏｌｕｔｉｏｎ
ＬＴＥ−Ｕ  未ライセンススペクトルにおけるＬＴＥ
Ｍ２Ｍ  マシンツーマシン
ＭＣＳ  変調符号化方式
ＭＩＢ  マスタ情報ブロック
ＭＩＭＯ  多入力多出力
ＭＴＣ  マシン型通信
ＮＲ  新しい無線
ＯＦＤＭ  直交周波数分割多重
ＰＤＣＣＨ  物理ダウンリンク制御チャネル
ＰＲＢ  物理リソースブロック
ＰＵＣＣＨ  物理アップリンク制御チャネル
ＰＵＳＣＨ  物理アップリンク共有チャネル
ＲＡＮ  無線アクセスネットワーク
ＲＡＴ  無線アクセス技術
ＲＢＳ  無線基地局
ＲＮＣ  無線ネットワークコントローラ
ＲＲＣ  無線リソース制御
ＲＲＨ  リモート無線ヘッド
ＲＲＵ  リモートラジオユニット
ＳＣｅｌｌ  ２次セル
ＳＩ  システム情報
ＳＩＢ  システム情報ブロック
ＳＲ  スケジューリング要求
ＴＢ  トランスポートブロック
ＴＢＳ  トランスポートブロックサイズ
ＴＤＤ  時分割複信
ＴＴＩ  送信時間間隔
ＵＥ  ユーザ機器
ＵＬ  アップリンク
ＵＲＬＬＣ  超高信頼低レイテンシ通信
ＵＴＲＡＮ  ユニバーサル地上無線アクセスネットワーク
ＷＡＮ  無線アクセスネットワーク
【図１】
0006872669.tif 000003
【図２】
0006872669.tif 000004
【図３】
0006872669.tif 000005
【図４】
0006872669.tif 000006
【図５】
0006872669.tif 000007
【図６】
0006872669.tif 000008
【図７】
0006872669.tif 000009
【図８】
0006872669.tif 000010
【図９】
0006872669.tif 000011
【図１０Ａ】
0006872669.tif 000012
【図１０Ｂ】
0006872669.tif 000013
【図１１Ａ】
0006872669.tif 000014
【図１１Ｂ】
0006872669.tif 000015